(57)【特許請求の範囲】
【請求項１】
被検眼の視野範囲の任意の位置に固視標を提示可能な固視標提示手段と、該固視標提示手段を制御すると共に予め被検眼の視野範囲に対応した前記固視標のアドレスを記憶した制御手段とを有し、該制御手段は前記固視標を移動するに際して前記アドレスに基づいて前記固視標の提示位置を制限することを特徴とする眼科撮影装置。
【請求項２】
被検眼の観察表示手段に前記固視標を電気信号で合成して表示する請求項１に記載の眼科撮影装置。
【請求項３】
前記固視標提示手段は液晶ディスプレイとした請求項１に記載の眼科撮影装置。
【請求項４】
前記固視標提示手段は複数個のＬＥＤを配列した光源とした請求項１に記載の眼科撮影装置。
【発明の詳細な説明】
【０００１】
【発明の属する技術分野】
本発明は、眼科医院や集団検診等で使用される眼科撮影装置に関するものである。
【０００２】
【従来の技術】
従来から、被検眼を所望の撮影部位へ誘導するための光源を設け、被検者にこの光源を固視させることによって被検眼の所望部位を撮影する眼底カメラが、例えば特開平８−３０８８０２号公報等で知られている。
【０００３】
図５はこの従来の眼底カメラの構成図を示し、被検眼Ｅと対向する対物レンズ１の背後の光路上には、中央部に開口を有する孔あきミラー２、撮影レンズ３、回動可能なミラー４が配列され、ミラー４の上方の固視光学系には、リレーレンズ５、被検眼Ｅに固視させる液晶ディスプレイ６、光源７が配列されている。また、ミラー４の後方の光路上には、フィールドレンズ９、視野絞り１０、結像レンズ１１、撮像手段１２が配列され、孔あきミラー２の入射方向の光路上には、レンズ１３、リング絞り１４、光源１５が配列され、リング絞り１４はレンズ１３に関して孔あきミラー２と略共役に配置されている。また、撮像手段１２の出力は制御手段１６に接続され、制御手段１６の出力はテレビモニタ１７に接続され、撮影スイッチ１８、固視標移動スイッチ１９の出力は、それぞれ制御手段１６に接続されている。
【０００４】
検者は被検眼Ｅの所望部位を撮影するために、液晶ディスプレイ６の所望位置を点灯する。このとき、液晶ディスプレイ６の位置情報は電気信号に変換され、図６に示すようにその情報に基づいた位置にキャラクタＣが発生する。キャラクタＣはテレビモニタ１７の観察画面上に眼底像Prに合成されて表示され、検者にこのキャラクタＣを目視させる。ここで、テレビモニタ１７内の円Ｓは被検眼Ｅの略視野を表している。また、所望部位を変更する場合には、例えば十字キー等の固視標移動スイッチ１９を作動して、液晶ディスプレイ６上の点灯位置を移動させる。これに連動してキャラクタＣも観察画面上を移動する。
【０００５】
【発明が解決しようとする課題】
しかしながら上述の従来例では、被検眼の固視可能な視野範囲に固視標の提示範囲を一致させることは、位置調整が困難なばかりか装置が複雑になるため、一般には視野範囲全体をカバーするために提示する固視標移動範囲を視野範囲よりも大きくとる。更には、同一固視標で左右眼を兼用するので、例えば右眼の撮影時であっても、通常固視に不必要な位置又は被検眼視野外に固視目標が移動してしまうと、その場所から所望の固視位置まで戻さなければならない。これらの操作は撮影者に手間を掛けさせてしまい、極めて煩わしいという欠点がある。
【０００６】
本発明の目的は、上述の問題点を解消し、固視目標の表示範囲を被検眼視野内の所定範囲内で移動可能な眼科撮影装置を提供することにある。
【０００７】
【課題を解決するための手段】
上記目的を達成するための本発明に係る眼科撮影装置は、被検眼の視野範囲の任意の位置に固視標を提示可能な固視標提示手段と、該固視標提示手段を制御すると共に予め被検眼の視野範囲に対応した前記固視標のアドレスを記憶した制御手段とを有し、該制御手段は前記固視標を移動するに際して前記アドレスに基づいて前記固視標の提示位置を制限することを特徴とする。
【０００８】
【発明の実施の形態】
本発明を図１〜図４に図示の実施例に基づいて詳細に説明する。
図１は第１の実施例の構成図を示し、被検眼Ｅと対向する対物レンズ２１の背後の光路上には、中央部に開口を有する孔あきミラー２２、撮影レンズ２３、回動可能なミラー２４が配列され、ミラー２４の上方の固視光学系には、結像レンズ２５、液晶ディスプレイ２６、光源２７が配列され、ミラー２４の後方には、フィールドレンズ２８、視野絞り２９、結像レンズ３０、撮像手段３１が配列されている。また、孔あきミラー２２の入射方向の光路上には、レンズ３２、リング絞り３３、眼底観察用光源３４が配列されており、ここでリング絞り３３はレンズ３２に関して孔あきミラー２２と略共役に配置されている。そして、撮像手段３１の出力は制御手段３５に接続され、制御手段３５の出力はテレビモニタ３６に接続されている。また、制御手段３５の出力は液晶ディスプレイ２６、撮影スイッチ３７、固視標移動スイッチ３８に接続されている。
【０００９】
このような構成において、眼底観察用光源３４を発した光束は、リング絞り３３の開口部、レンズ３２を通り、孔あきミラー２２のミラー部により左方に反射され、対物レンズ２１を通り被検眼Ｅの眼底Erを照明する。眼底Erからの反射光束は、瞳孔Ep、対物レンズ２１、孔あきミラー２２の開口部、撮影レンズ２３、フィールドレンズ２８を通り、視野絞り２９の近傍に眼底像として一旦結像し、結像レンズ３０により撮像手段３１に再度結像する。撮像手段３１に結像した眼底像Prはビデオ信号に変換され、制御手段３５を介してテレビモニタ３６に映出される。
【００１０】
撮影者はテレビモニタ３６に映出されている眼底動画像を観察し、撮影レンズ２３を調整して眼底像Prの照準を合わせ、更に被検眼Ｅの所望部位を撮影するために、固視標移動スイッチ３８を動作する。テレビモニタ３６には図６で示した従来例と同様の画面が表示され、検者は所望部位に被検眼Ｅを誘導した後に、撮影スイッチ３７を押して眼底観察用光源３４を発光し、眼底像Prを制御手段３５の内部の記憶手段に静止画像として記録する。図２はこのときの液晶ディスプレイ２６の開口部セル２６ａと遮光部セル２６ｂとの位置関係を示している。
【００１１】
図３は被検眼Ｅから見た液晶ディスプレイ２６を示し、円Ｓに囲まれた範囲が被検眼Ｅの視野内である。ここで、制御手段１６内に予め固視標のアドレス（被検眼の視野範囲及び左右眼の所望位置等）が記憶されており、検者が所望しない位置例えば円Ｓの外側セル２６ｃに固視標移動スイッチ３８を作用させても、開口部セル２６ａが移動しないようになっている。又は、円Ｓの外側に固視標移動スイッチ３８を作用させた場合に、リセット位置例えば固視標の中心等に自動的に開口部セル２６ａを移動させるようにしてもよい。
【００１２】
図４は第２の実施例の固視目標の正面図を示し、液晶ディスプレイ２６の代りに、複数のＬＥＤを並べたＬＥＤアレイ４０を使用し、このＬＥＤアレイ４０を点灯／消灯して固視位置を変化させるようにしており、点灯部４０ａ及び消灯部４０ｂを示している。
【００１３】
この場合においても、円Ｓの外側に点灯部４０ａが移動することはない。
【００１４】
【発明の効果】
以上説明したように本発明に係る眼科撮影装置は、固視目標を被検者の固視に不必要な位置には移動できないので、検者が間違えて移動させても固視位置が範囲内に止まっているため、修正のための移動も最小限で済み、効率良く眼科撮影が行うことができる。
【図面の簡単な説明】
【図１】第１の実施例の眼科撮影装置の側面図である。
【図２】固視目標の正面図である。
【図３】固視目標の正面図である。
【図４】第２の実施例の固視目標の正面図である。
【図５】従来例の眼科撮影装置の側面図である。
【図６】被検眼の観察画面の説明図である。
【符号の説明】
２６  液晶ディスプレイ
２７、３４  光源
２９  視野絞り
３１  撮像手段
３５  制御手段
３６  テレビモニタ
３７  撮影スイッチ
３８  固視目標移動スイッチ
４０  ＬＥＤアレイ
【図１】
0003809267.tif 000002
【図２】
0003809267.tif 000003
【図３】
0003809267.tif 000004
【図４】
0003809267.tif 000005
【図５】
0003809267.tif 000006
【図６】
0003809267.tif 000007